(57)【特許請求の範囲】
【請求項１】
被観測電気信号内の全てのトリガ・イベントを認識し、トリガ信号を生成する手段と、
所望プリ・トリガ期間に等しい量だけ上記電気信号を表すデジタル化信号を遅延するための上記所望プリ・トリガ期間で定まる可変レコード長を有し、任意の位置から読み出し可能なバッファを有する上記デジタル化信号を遅延する手段と、
上記トリガ信号内の最初のトリガ・イベントより前の上記所望プリ・トリガ期間における上記電気信号を表す、上記遅延手段からの上記デジタル化信号についての波形を上記トリガ信号に応じてリアルタイムで描画する手段と、
上記トリガ信号を所望ポスト・トリガ期間だけ遅延し、遅延トリガ信号を生成する手段と
を具え、上記描画手段が上記トリガ信号内の最初のトリガ・イベントより後の上記所望ポスト・トリガ期間における上記電気信号を表す波形を上記遅延トリガ信号に応じて生成することを特徴とするデジタル・オシロスコープ用ノー・デッド・タイム・アクイジション・システム。
【請求項２】
被観測電気信号内の全てのトリガ・イベントを認識し、トリガ信号を生成する手段と、
上記電気信号を表すデジタル化信号を遅延し、遅延された上記デジタル化信号を任意の位置から読み出し可能な手段と、
上記遅延手段からの上記デジタル化信号についての波形を上記トリガ信号に応じてリアルタイムで描画する手段と、
上記トリガ信号を所望ポスト・トリガ期間だけ遅延し、遅延トリガ信号を生成する手段とを具え、
上記描画手段が上記トリガ信号内の最初のトリガ・イベントより後の上記所望ポスト・トリガ期間における上記電気信号を表す上記波形を上記遅延トリガ信号に応じて生成することを特徴とするノー・デッド・タイム・アクイジション・システム。
【請求項３】
入力信号内の全トリガ・イベントを特定するため、上記入力信号を表すデジタイザ化信号が入力され、上記全トリガ・イベントを表すトリガ信号を出力するトリガ認識装置と、
一時的に上記デジタイザ化信号の一部を蓄積するために、所望プリ・トリガ期間で定まる可変レコード長を有し、上記デジタイザ化信号が入力されて出力される任意の位置から読み出し可能なバッファと、
上記可変レコード長バッファから上記デジタイザ化信号の一部が入力され、上記トリガ信号に含まれる上記トリガ・イベントの１つでイネーブルされると、上記バッファに含まれる上記デジタル化信号の一部を表す波形画像を出力する波形画像描画用の高速ラスタライザと
を具えるノー・デッド・タイム・アクイジション・システム。
【請求項４】
上記トリガ信号を遅延するため、所望ポスト・トリガ遅延に等しい遅延期間を有し、上記トリガ信号が入力され、遅延トリガ信号を出力するトリガ遅延回路を更に具え、
上記高速ラスタライザが、上記遅延トリガ信号に含まれる上記トリガ・イベントの１つによって上記波形画像の描画をイネーブルされることを特徴とする請求項３記載のノー・デッド・タイム・アクイジション・システム。
【請求項５】
被観測入力信号をデッド・タイム無しにアクイジションする方法であって、
上記入力信号内の全てのトリガ・イベントを認識し、トリガ信号を生成するステップと、
所望プリ・トリガ期間で定まる可変レコード長を有し、任意の位置から読み出し可能なバッファを用いて上記入力信号を表すデジタル化信号を遅延するステップと、
上記トリガ信号内の最初のトリガ・イベントより前の上記所望プリ・トリガ期間における上記入力信号を表す、上記遅延ステップで得られた上記デジタル化信号についての波形を上記トリガ信号に応じてリアルタイムで描画するステップと、
上記トリガ信号を所望ポスト・トリガ期間だけ遅延し、遅延トリガ信号を生成するステップと
を具え、上記描画ステップにおいて、上記トリガ信号内の上記最初のトリガ・イベントより後の上記所望ポスト・トリガ期間における上記入力信号を表す波形を上記遅延トリガ信号に応じて生成することを特徴とするアクイジション方法。
【発明の詳細な説明】
【技術分野】
【０００１】
本発明は、デジタル・オシロスコープのアクイジション（取込み）システムに関し、特に、ノー・デッド・タイム・アクイジション・システム及びアクイジション方法に関する。
【背景技術】
【０００２】
オシロスコープのような測定装置の「デッド・タイム」とは、データ・アクイジション（取込み）回路が有効なトリガ・イベントに応答できない時間のことである。これは、オシロスコープが他の処理の実行で忙しく、生じているであろうトリガ・イベントの処理を実行できないために起こる。結果的として、その取りこぼした有効なトリガ・イベントについての観測すべき電気信号を表す波形が表示されない。アナログ・オシロスコープでは、デッド・タイムは、例えば、陰極線管の電子ビームの帰線期間中に生じる。デジタル・オシロスコープでは、デッド・タイムは、アクイジション・メモリからの先のアクイジションに関係するデータの読み出しで装置が忙しいときや、取り込んで処理したデータを表示装置上で波形画像を描くための描画処理で忙しいときに発生しがちである。
【０００３】
被試験回路は、標準的なデジタル・オシロスコープで、その対応する波形を表示可能なものよりも高速なレートで動作していることも多い。事実、代表的なデジタル・オシロスコープでは、時間的に前のトリガ・イベントに応答して取り込まれたデータに関する波形を処理及び描画（drawing）するのに忙しいため、多くのトリガ・イベントを無視している。悪いことに、このような被試験回路は、時として予期しない動作をすることがあるのも事実である。被試験回路が正しくない動作をするのは希かもしれないが、それは正しい動作サイクルの恐らく数千回に１回程度で起きている可能性がある。このようなことから、オシロスコープは、被試験回路の正しくない動作（異常）が生じた時点で忙しいかもしれないので、その異常を示す波形を表すデータを取り込んでいないかもしれないのである。
【０００４】
基本的なデジタル・オシロスコープは、データを受けてアクイジション（取込み）メモリに蓄積し、トリガ・イベントによって、定義したポスト・トリガ期間（interval：インターバル）の後、取込みを停止する構成となっている。取り込まれたデータは、アクイジション・システムが新しいトリガ・イベントに再び応答可能になる前に、処理及び表示装置上での波形描画のためにアクイジション・メモリから読み出される。
【０００５】
２００６年３月２４日出願の「ノー・デッド・タイム・データ・アイクイジション」と題するスティーブン・サリバン等による同時継続中の米国特許出願番号１１/３８８,４２８（対応日本出願番号２００９−５０１７５９）には、全てのトリガ・イベントを表すデータを表示するためのアクイジションを可能にしようとする１つの試みが開示されている。測定装置は、被観測電気信号を表すデジタル信号を受け、高速デジタル・トリガ回路を用いてトリガ信号を生成する。このとき、トリガ信号は、デジタル化した信号内の全てのトリガ・イベントを含んでいる。デジタル化信号は、必要に応じて圧縮され、トリガ信号中の最初のトリガ・イベントより時間的に前の所定量のデータを確保するため、ある一定時間、ＦＩＦＯ（先入れ先出し）バッファで遅延される（プリ・トリガ遅延）。ＦＩＦＯからの遅延されたデジタル化信号は、最初のトリガ・イベントの発生に応じて高速ラスタライザ又は描画エンジンに配給され、波形画像が生成される。この波形画像は、続いて表示バッファに供給され、時間的に前の波形画像や他の画像エンジンンからの別の画像入力と合成される。表示バッファの内容は、表示更新レートで表示画面に供給されて、電気信号を表す全ての波形画像を合成したものが示される。
【０００６】
測定装置の各入力チャンネルにつき、２つ以上の波形画像を生成するための２つ以上の描画エンジンを用いても良く、各波形画像は、表示ウィンドウ内の特定のトリガ位置において、複数のトリガ・イベントの１つを有している。複数の波形画像が合成されて１つの合成波形画像が生成されるが、これは、表示バッファ中の時間的に前の複数の波形画像又は他の描画エンジンからのグラフィックと共に、全てのトリガ・イベントを含んでいる。表示ウィンドウ内のあるトリガ位置には、トリガ・イベントが欠落した可能性を示す指標（indicator：インジケータ）が設けられる。また、トリガ・イベントがないときには、信号内容のグラフィックを表示装置に供給するようにしても良い。
【０００７】
上述のノー・デッド・タイム・アイクイジション・システムは、いくつの場合に有効性に限界がある。例えば、ズーム（zoom）機能を実行したとき、ズーム・ウィンドウがプリ・トリガ位置に移動し、ズーム・ウィンドウ内にトリガ・イベントを含まないということ、つまり、所望の表示データがトリガ・イベントよりも大幅に前に生じたため、トリガ・イベントが生じて高速ラスタライザが波形描画を開始したときにはＦＩＦＯ中にないということもあり得る。このような場合、ＦＩＦＯ中のデータが既に上書きされているため、表示するズーム・ウィンドウ内にデータが何も含まれないという可能性もある。これは、このノー・デッド・タイム・アイクイジション・システムは、ＦＩＦＯからのデジタル化信号だけを表示のために取込み及び処理するが、このデジタル化信号はトリガ・イベント付近で生じたものだからである。
【０００８】
同様に、ズーム・ウィンドウがポスト・トリガ位置に移動するものの、ズーム・ウィンドウ内に、トリガ・イベントを含まないかもしれない。つまり、入力信号中に所望のポスト・トリガ位置が生じるより前に、トリガ・イベントを含んで描画された波形が終了してしまうか、又は、トリガ点から取り込みが遅れるような場合に、波形画像の水平位置が遅れてしまうかもしれない。後者の２つの場合、ノー・デッド・タイム・アイクジション・システムでは、波形表示がトリガ・イベントに応答してＦＩＦＯから生成されると共に、表示画面の大きさに制限されるので、表示用の波形を生成するためのデータがないかもしれない。
【先行技術文献】
【特許文献】
【０００９】
【特許文献１】米国特許出願番号１１/３８８,４２８（対応日本出願番号２００９−５０１７５９）
【発明の概要】
【発明が解決しようとする課題】
【００１０】
プリ・トリガの問題の例を図１の表示１００に示す。図１の従来例の上方には、取り込んだデータ信号の長いレコード長を表す波形１１０が示されている。波形１１０では、トリガ点が黒丸で示され、ズーム・ウィンドウの位置がカッコで囲まれている。ズーム・ウィンドウの内容は、表示１００の下部に、波形１２０で示されている。説明のように通常の長いレコード長のアクイジション・システムでは、装置が波形メモリのポスト・アクイジションを見に行き、ズーム・ウィンドウ内に示す内容を描画するために必要なデータ点を抽出する動作に関し問題はない。しかし、現在の技術でノー・デッド・タイム・アクイジション・システムを動作させるために代償（トレードオフ）となる基本的なものの１つは、各アイクジション（取り込み）サイクルで取り込まれたデータが高率で圧縮されることであり、これによってノー・デッド・タイム・アクイジション・システムの専用描画ハードウェアでリアルタイムに処理する必要のあるデータ量を制限していることである。もしＦＩＦＯ内のデータだけを用いて、ズーム・ウィンドウを描画するのにＦＩＦＯで定まる極めて短いレコードが直接使用されると、その結果は大変不満のあるものとなろう。例えば、１０,０００の係数で表示がズームされるというのは、最近の長いレコード長の装置では珍しいことではないが、４５０対の点のレコード長についての場合、ズーム・ウィンドウ内にデータ点が１対よりも大幅に少なくしか存在しないということになってしまう。この場合、明らかに意味のある情報が描かれないことになり、ノー・デッド・タイム・アクイジション・システムは表示を生成できない。
【００１１】
ノー・デッド・タイム・アクイジション・システムにおいて、プリ・トリガのズーム・レコードは、フル解像度では取り込むことができない。なぜなら、特定のアクイジション・サイクルをいつ止めるか知る方法がない、つまり、アクイジション・システムはトリガ・イベントが明らかになる前には、取り込みの停止を知ることができないからである。言い換えると、ノー・デッド・タイム・アクイジション・システムにおけるプリ・トリガ期間は、ＦＩＦＯの長さで定まるのである。
【００１２】
図２に示すように、ズーム・ウィンドウがポスト・トリガ位置に移動すると、伝統的な長いレコード長のアクイジション・システムでは、単純にトリガ後で停止する前の遅延期間をできるだけ長くカウントする。しかし、この単純な方法は、ノー・デッド・タイム・アクイジション・システムでは不可能である。図２の矢印は、入力信号中の個々のトリガ・イベントを示す。最初のトリガ・イベントが生じたとき、そのトリガに関係するデータは、スクリーンの右端近くにあるカッコで示される時間まで利用できない。アクイジション・システムは、このデータの処理を適当な時間まで遅延するが、この遅延中に更に５個のトリガ・イベントが検出される。そして、遅延したデータの処理中に、もう２つのトリガ・イベントが検出される。これら７個のトリガ・イベントの夫々には対応するデータがあり、アクイジションを「ノー・デッド・タイム」状態に維持しようとするなら、これらデータを特定し、処理する必要がある。
【課題を解決するための手段】
【００１３】
そこで本発明は、入力電気信号についてのプリ・トリガ及びポスト・トリガの両データの表示を可能にするノー・デッド・タイム・アクイジション・システムを提供しようとするもので、これは、必ずしもトリガ・イベントをも含むものではない。このノー・デッド・タイム・アクイジション・システムには、短い長さのデータＦＩＦＯを可変レコード長アクイジション・バッファに取り替えるという部分変更が施され、その最大レコード長は、従来の長いレコード長のアクイジション・メモリと等しいものとしても良い。望ましいプリ・トリガ期間（interval）でアクイジション・バッファのレコード長を定めるので、最初のトリガ・イベントが生じたとき、高速ラスタライザはアクイジション・バッファ中の最も古いデータにアクセスするが、アクイジション・バッファは所望のプリ・トリガ・データを含んでいるものの、表示される波形内に最初のトリガ・イベントは必ずしも含んでいない。更なる変更点としては、高速ラスタライザがアクイジション・バッファ中のデータから波形描画開始をトリガ（triggering）する前に、最初のトリガ・イベントを所望のポスト・トリガ期間だけ遅延し、結果として得られるポスト・トリガ・データの表示には必ずしも最初のトリガ・イベントが含まれないというものがある。
【００１４】
本発明によるノー・デッド・タイム・アクイジション・システムは、より具体的には、被観測電気信号内の全てのトリガ・イベントを認識し、トリガ信号を生成する手段と、所望プリ・トリガ期間に等しい量だけ上記電気信号を表すデジタル化信号を遅延するための上記所望プリ・トリガ期間で定まる可変レコード長を有するバッファを有する上記デジタル化信号を遅延する手段と、上記トリガ信号内の最初のトリガ・イベントより前の上記所望プリ・トリガ期間における上記電気信号を表す、上記遅延手段からの上記デジタル化信号についての波形を上記トリガ信号に応じてリアルタイムで描画する手段とを具えるものである。
【００１５】
このとき、更に、所望ポスト・トリガ期間だけ上記トリガ信号を遅延し、遅延トリガ信号を生成する手段を具え、上記描画手段が上記トリガ信号内の最初のトリガ・イベントより後の上記所望ポスト・トリガ期間における上記電気信号を表す上記波形を上記遅延トリガ信号に応じて生成するようにしても良い。
【００１６】
本発明によるノー・デッド・タイム・アクイジション・システムは、別の見方では、被観測電気信号内の全てのトリガ・イベントを認識し、トリガ信号を生成する手段と、上記電気信号を表すデジタル化信号を遅延する手段と、上記遅延手段からの上記デジタル化信号についての波形を上記トリガ信号に応じてリアルタイムで描画する手段と、上記トリガ信号を所望ポスト・トリガ期間だけ遅延し、遅延トリガ信号を生成する手段とを具え、上記描画手段が上記トリガ信号内の最初のトリガ・イベントより後の上記所望ポスト・トリガ期間における上記電気信号を表す上記波形を上記遅延トリガ信号に応じて生成することを特徴とする。
【００１７】
このとき、更に、上記デジタル化信号遅延手段が、所望プリ・トリガ期間に等しい量だけ上記デジタル化信号を遅延するための上記所望プリ・トリガ期間で定まる可変レコード長を有するバッファを有し、上記波形が上記トリガ信号内の上記最初のトリガ・イベントより前の上記所望プリ・トリガ期間における上記電気信号を表すようにしても良い。
【００１８】
本発明によるノー・デッド・タイム・アクイジション・システムは、更に別の見方では、入力信号内の全トリガ・イベントを特定するため、上記入力信号を表すデジタイザ化信号が入力され、上記全トリガ・イベントを表すトリガ信号を出力するトリガ認識装置と、一時的に上記デジタイザ化信号の一部を蓄積するために、所望プリ・トリガ期間で定まる可変レコード長を有し、上記デジタイザ化信号が入力されて出力されるバッファと、上記可変レコード長バッファから上記デジタイザ化信号の一部が入力され、上記トリガ信号に含まれる上記トリガ・イベントの１つでイネーブルされると、上記バッファに含まれる上記デジタル化信号の一部を表す波形画像を出力する波形画像描画用の高速ラスタライザとを具える。
【００１９】
このとき、更に、上記トリガ信号を遅延するため、所望ポスト・トリガ遅延に等しい遅延期間を有し、上記トリガ信号が入力され、遅延トリガ信号を出力するトリガ遅延回路を具え、上記高速ラスタライザが、上記遅延トリガ信号に含まれる上記トリガ・イベントの１つによって上記波形画像の描画をイネーブルされるようにしても良い。
【００２０】
本発明は、また別の見方によれば、被観測入力信号をデッド・タイム無しにアクイジションする方法であって、上記入力信号内の全てのトリガ・イベントを認識し、トリガ信号を生成するステップと、所望プリ・トリガ期間で定まる可変レコード長を有するバッファを用いて上記入力信号を表すデジタル化信号を遅延するステップと、トリガ信号に応じて上記遅延ステップで得られた上記デジタル化信号についての波形をリアルタイムで描画するステップとを具え、上記波形が上記トリガ信号内の上記最初のトリガ・イベントより前の上記所望プリ・トリガ期間における上記入力信号を表すことを特徴とするものである。
【００２１】
このとき、更に、トリガ信号を所望ポスト・トリガ期間だけ遅延し、遅延トリガ信号を生成するステップを具え、上記描画ステップにおいて、上記トリガ信号内の最初のトリガ・イベントより後の上記所望ポスト・トリガ期間における上記入力信号を表す波形を上記遅延トリガ信号に応じて生成するようにしても良い。
【００２２】
本発明の目的、効果、他の新規な点は、以下の詳細な説明を特許請求の範囲及び図面とあわせて読むことによって明らかとなろう。
【図面の簡単な説明】
【００２３】
【図１】トリガ・イベントを含まないプリ・トリガ・ズーム・ウィンドウとともに、取り込んだデータの長いデータ長のレコードを示す従来技術による画面表示の平面図である。
【図２】関心のあるトリガ・イベントを含まないポスト・トリガ・ズーム・ウィンドウとともに、取り込んだデータの長いデータ長のレコードを示す従来技術による画面表示の平面図である。
【図３】入力信号のプリ・トリガ及びポスト・トリガの両アクイジションを可能にする本発明によるノー・デッド・タイム・アクイジション・システムのブロック図である。
【発明を実施するための形態】
【００２４】
図３を参照すると、被観測電気信号は、アナログ・デジタル変換回路（Ａ／Ｄ）１２においてサンプリング・レートｆｓでサンプルされる。Ａ／Ｄ１２からのデジタル化されたサンプルは、データ圧縮回路１４及び高速デジタル・トリガ回路１６に入力される。高速デジタル・トリガ回路１６は、デジタル化サンプルから検出（認識）されたトリガ・イベントに応答してトリガ信号を出力するが、これらトリガ・イベントは、コントローラ２０と通信するユーザ・インタフェース（Ｕ／Ｉ）１８を介して、ユーザによって定義される。データ圧縮回路１４からの圧縮されたデジタル化サンプルは、バッファ／アクイジション・メモリ２２に入力されるが、これは上述した同時継続米国特許出願番号１１/３８８,４２８で説明しているＦＩＦＯよりも大きいものである。バッファ２２は、デジタル化サンプルのプリ・トリガ及びポスト・トリガの相応な数を含むのに十分なデジタル化サンプルを保持できる大きな容量があり、従来の長いレコード長のアクイジション・メモリと同程度に大きなものとしても良い。バッファ２２の出力は、１つ以上の高速ラスタライザ２４に入力され、高速ラスタライザ２４は、蓄積された信号レコードからのポスト処理データ以外について、表示バッファ２６中にリアルタイムで蓄積するように、バッファ出力から複数の波形を描画する。つまり、高速ラスタライザ２４は、基本的には、バッファ・メモリ２２を通過する処理で必要となる遅延をした上で、圧縮回路１４から所望データが得られたら即座に動作する。複数の高速ラスタライザ２４からの複数の波形は、表示バッファ２６に書き込む前に、ＯＲ（論理和）ゲート２８のようなもので合成するようにしても良い。他の描画エンジン３０からのグラフィックや文字数字データのような追加情報を、表示バッファ２６中で高速ラスタライザ２４からの波形と合成し、合成画像を形成するようにしても良い。表示バッファ２６からの合成画像は、更新表示レートで表示される画面として、表示装置３２に供給される。
【００２５】
高速デジタル・トリガ回路１６からのトリガ信号は、タイマ３４に入力され、これはトリガ信号中の各トリガ・イベントについてのトリガ・イベント時間を供給する。トリガ・イベント時間は、トリガＦＩＦＯ（先入れ先出し）メモリ３６に蓄積される。トリガＦＩＦＯ３６からの複数のトリガ時間は、加算回路３８に入力されるが、ここには所望のポスト・トリガ期間を表す一定の時間増加量Ｋも入力される。ＦＩＦＯの各トリガ・イベント時間についてのトリガ時間にポスト・トリガ時間を加えたものは、比較器４０に入力され、ここでタイマ３４からの時間値と比較されて、遅延トリガ信号が生成される。トリガ信号及び遅延トリガ信号は、コントローラ２０に入力され、コントローラ２０は、高速ラスタライザ２４に加えて、バッファ２２及びトリガＦＩＦＯ３６を順次制御する。
【００２６】
通常のノー・デッド・タイム・アクイジション・システムでは、波形表示に始めの（initiating）トリガ・イベントが含まれ、バッファ・メモリ２２がコントローラ２０によって短い長さのＦＩＦＯとして制御され、上述の米国特許出願で説明したように動作する。言い換えると、コントローラ２０は最新のデータをバッファ・メモリ２２に入力して高速ラスタライザ２４に送るので、得られる描画波形の画面表示内にトリガ・イベントが含まれる。画面表示内にトリガ・イベントを含まないプリ・トリガ・データを表す描画波形については、コントローラ２０が、トリガ信号に応答して、所望のプリ・トリガ期間と等しいバッファ・メモリ内の任意の点で始まるバッファ・メモリ２２からのデータを高速ラスタライザ２４に送る。画面表示内にトリガ・イベントを含まないポスト・トリガ・データを表す描画波形については、コントローラ２０が、遅延トリガ信号に応答して、最新のデータをバッファ・メモリ２２に入力して高速ラスタライザ２４に送る。プリ・トリガ及びポスト・トリガの両期間は、Ｕ／Ｉ１８を介してユーザによって指定される。本質的には、コントローラ２０が所望のプリ・トリガ遅延に応じてバッファ２２のレコード長を設定し、高速ラスタライザ２４が「ノーマル（トリガ・イベントを画面上に表示）、プリ・トリガ及びポスト・トリガ」の３状態の夫々について、同じ量のデータにアクセスし、入力信号を表す描画波形を供給する。プリ・トリガ状態についてのみ、バッファ２２のレコード長を通常のノー・デッド・タイム・アクイジション・システムのＦＩＦＯよりも大きいものに設定する必要があり、その長さは、バッファの最大レコード長以内において、所望のプリ・トリガ期間に応じたものとなる。また、ノー・デッド・タイム・アクイジション・システム用のＦＩＦＯは、従来の長いレコード長のアクイジション・メモリの一部から別個に設けるようにしても良い。
【００２７】
図３では、トリガＦＩＦＯ３６及びタイマ３４は、ノー・デッド・タイム・アクイジション・システム中のポスト・トリガ・アクイジションの１つ実施形態として示したもので、高速ラスタライザ２４による入力信号の波形描画が所望のポスト・トリガ期間によって遅延される限り、他の実施形態も可能である。このように本発明は、ノー・デッド・タイム・アクイジション・システムにおけるデータのプリ・トリガ及びポスト・トリガ・アクイジションを提供する。このとき、ＦＩＦＯの長さを可変レコード長アクイジション・バッファへ拡張すると共に、バッファ内のどの点からも読み出しを可能にし、その一方で、バッファは、プリ・トリガ・アクイジションのために高速ラスタライザで描画しつつ、データを受けて続ける。更にトリガＦＩＦＯ及びタイマを加えて、ポスト・トリガ・アクイジション用にトリガ信号を表示するようにする。プリ・トリガ及びポスト・トリガのデータは、所望の解像度で取り込まれるので、トリガ信号中の特定のトリガ・イベント付近のデータだけを表示することによるズームでの問題を回避できる。
【符号の説明】
【００２８】
１２  アナログ・デジタル変換回路（Ａ／Ｄ）
１４  データ圧縮回路
１６  高速デジタル・トリガ回路
１８  ユーザ・インタフェース
２０  コントローラ
２２  バッファ／アクイジション・メモリ
２４  高速ラスタライザ
２６  表示バッファ
２８  ＯＲゲート
３０  他の描画エンジン
３２  表示装置
３４  タイマ
３６  トリガＦＩＦＯ
３８  加算回路
４０  比較器
【図１】
0005294320.tif 000002
【図２】
0005294320.tif 000003
【図３】
0005294320.tif 000004